【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
モビリティ管理エンティティ（ＭＭＥ）を操作する方法であって、
フェムトセル基地局から、前記フェムトセル基地局によって検出されたピアツーピアディスカバリ信号を送信した第１のセルラー非アクティブユーザ装置（ＵＥ）デバイスを識別する情報を受信することと、ここにおいて、前記フェムトセル基地局は、前記ピアツーピアディスカバリ信号を傍受するように配置される、
前記受信された情報に基づいて前記ＵＥの場所を決定することと、
前記第１のＵＥデバイスをページングするために使用されるべきページングエリアを第１のエリアに設定するために、前記第１のＵＥデバイスに対応するページングエリア情報を更新することとを備える、方法。
【請求項２】
前記第１のエリアが、フェムトセル基地局が前記第１のＵＥデバイスに対応するディスカバリ信号の検出を前記ＭＭＥに報告していないときに前記第１のＵＥデバイスをページングするために使用されるエリアよりも小さい、請求項１に記載の方法。
【請求項３】
前記フェムトセル基地局から、前記フェムトセル基地局によって信号が受信されたマクロ基地局を識別する情報を受信すること、をさらに備える、請求項２に記載の方法。
【請求項４】
前記フェムトセル基地局によって信号が受信されたマクロ基地局を識別する前記受信された情報に基づいて前記フェムトセル基地局の場所を決定すること、をさらに備える、請求項３に記載の方法。
【請求項５】
第２のＵＥデバイスから、前記第２のＵＥデバイスが前記第１のＵＥデバイスから信号を受信したことを示す情報を受信することと、
前記第２のＵＥデバイスの場所に基づいて、前記第１のエリアを更新することと、をさらに備える、請求項１に記載の方法。
【請求項６】
前記第１のＵＥデバイスをページングする要求に応答して、前記第１のエリアへのページの送信を開始すること、をさらに備える、請求項２に記載の方法。
【請求項７】
前記ディスカバリ信号が、セルラーモードの動作で動作しているデバイスの発見のために使用されないディスカバリチャネル上で送信されている、請求項１に記載の方法。
【請求項８】
フェムトセル基地局から、前記フェムトセル基地局によって検出されたピアツーピアディスカバリ信号を送信した第１のセルラー非アクティブユーザ装置（ＵＥ）デバイスを識別する情報を受信するための手段と、ここにおいて、前記フェムトセル基地局は、前記ピアツーピアディスカバリ信号を傍受するように配置される、
前記受信された情報に基づいて前記ＵＥの場所を決定することと、
前記第１のＵＥデバイスをページングするために使用されるべきページングエリアを第１のエリアに設定するために、前記第１のＵＥデバイスに対応するページングエリア情報を更新するための手段と、を備える、モビリティ管理エンティティ（ＭＭＥ）。
【請求項９】
前記第１のエリアが、フェムトセル基地局が前記第１のＵＥデバイスに対応するディスカバリ信号の検出を前記ＭＭＥに報告していないときに前記第１のＵＥデバイスをページングするために使用されるエリアよりも小さい、請求項８に記載のＭＭＥ。
【請求項１０】
前記フェムトセル基地局から、前記フェムトセル基地局によって信号が受信されたマクロ基地局を識別する情報を受信するための手段、をさらに備える、請求項９に記載のＭＭＥ。
【請求項１１】
前記フェムトセル基地局によって信号が受信されたマクロ基地局を識別する前記受信された情報に基づいて前記フェムトセル基地局の場所を決定するための手段、をさらに備える、請求項１０に記載のＭＭＥ。
【請求項１２】
第２のＵＥデバイスから、前記第２のＵＥデバイスが前記第１のＵＥデバイスから信号を受信したことを示す情報を受信するための手段と、
前記第２のＵＥデバイスの場所に基づいて、前記第１のエリアを更新するための手段とをさらに備える、請求項８に記載のＭＭＥ。
【請求項１３】
前記第１のＵＥデバイスをページングする要求に応答して、前記第１のエリアへのページの送信を開始するための手段をさらに備える、請求項９に記載のＭＭＥ。
【請求項１４】
前記ディスカバリ信号が、セルラーモードの動作で動作しているデバイスの発見のために使用されないディスカバリチャネル上で送信されている、請求項８に記載のＭＭＥ。
【請求項１５】
モビリティ管理エンティティ（ＭＭＥ）で使用するためのコンピュータプログラム製品であって、前記コンピュータプログラム製品が、
少なくとも１つのコンピュータに、フェムトセル基地局から、前記フェムトセル基地局によって検出されたピアツーピアディスカバリ信号を送信した第１のセルラー非アクティブユーザ装置（ＵＥ）デバイスを識別する情報を受信させるためのコードと、ここにおいて、前記フェムトセル基地局は、前記ピアツーピアディスカバリ信号を傍受するように配置される、
前記少なくとも１つのコンピュータに、前記受信された情報に基づいて前記ＵＥの場所を決定させるためのコードと、
前記少なくとも１つのコンピュータに、前記第１のＵＥデバイスをページングするために使用されるべきページングエリアを第１のエリアに設定するために、前記第１のＵＥデバイスに対応するページングエリア情報を更新させるためのコードとを備える、非一時的コンピュータ可読媒体を備える、コンピュータプログラム製品。
【手続補正２】
【補正対象書類名】明細書
【補正対象項目名】００９９
【補正方法】変更
【補正の内容】
【００９９】
[0107]  上記の説明に鑑みて、上記で説明した様々な実施形態の方法および装置に関する多数の追加の変形形態が当業者には明らかであろう。そのような変形は、範囲内であるとみなされるべきである。方法および装置は、符号分割多元接続（ＣＤＭＡ）、ＯＦＤＭ、および／または通信デバイス間にワイヤレス通信リンクを提供するために使用され得る様々な他のタイプの通信技法で使用されてよく、様々な実施形態ではそうである。いくつかの実施形態では、１つまたは複数の通信デバイスは、ＯＦＤＭおよび／またはＣＤＭＡを使用して、モバイルノードとの通信リンクを確立する、および／またはワイヤードまたはワイヤレス通信リンクを介して、インターネットもしくは別のネットワークへの接続を提供し得る、マクロ基地局およびフェムト基地局などのアクセスポイントとして実装される。様々な実施形態では、モバイルノードは、本方法を実装するための、受信機／送信機回路ならびに論理および／またはルーチンを含む、ノートブックコンピュータ、個人情報端末（ＰＤＡ）、または他のポータブルデバイスとして実装される。
以下に、出願当初の特許請求の範囲に記載された発明を付記する。
［Ｃ１］
モビリティ管理エンティティ（ＭＭＥ）を操作する方法であって、
フェムトセル基地局から、前記フェムトセル基地局によって検出されたディスカバリ信号を送信した第１のユーザ装置（ＵＥ）デバイスを識別する情報を受信することと、
前記第１のＵＥデバイスをページングするために使用されるべきページングエリアを第１のエリアに設定するために、前記第１のＵＥデバイスに対応するページングエリア情報を更新することとを備える、方法。
［Ｃ２］
前記第１のエリアが、フェムトセル基地局が前記第１のＵＥデバイスに対応するディスカバリ信号の検出を前記ＭＭＥに報告していないときに前記第１のＵＥデバイスをページングするために使用されるエリアよりも小さい、Ｃ１に記載の方法。
［Ｃ３］
前記フェムトセル基地局から、前記フェムトセル基地局によって信号が受信されたマクロ基地局を識別する情報を受信すること、をさらに備える、Ｃ２に記載の方法。
［Ｃ４］
前記フェムトセル基地局によって信号が受信されたマクロ基地局を識別する前記受信された情報に基づいて前記フェムトセル基地局の場所を決定すること、をさらに備える、Ｃ３に記載の方法。
［Ｃ５］
第２のＵＥデバイスから、前記第２のＵＥデバイスが前記第１のＵＥデバイスから信号を受信したことを示す情報を受信することと、
前記第２のＵＥデバイスの場所に基づいて、前記第１のエリアを更新することと、をさらに備える、Ｃ１に記載の方法。
［Ｃ６］
前記第１のＵＥデバイスをページングする要求に応答して、前記第１のエリアへのページの送信を開始すること、をさらに備える、Ｃ２に記載の方法。
［Ｃ７］
前記ディスカバリ信号が、セルラーモードの動作で動作しているデバイスの発見のために使用されないディスカバリチャネル上で送信されている、Ｃ１に記載の方法。
［Ｃ８］
フェムトセル基地局から、前記フェムトセル基地局によって検出されたディスカバリ信号を送信した第１のユーザ装置（ＵＥ）デバイスを識別する情報を受信するための手段と、
前記第１のＵＥデバイスをページングするために使用されるべきページングエリアを第１のエリアに設定するために、前記第１のＵＥデバイスに対応するページングエリア情報を更新するための手段と、を備える、モビリティ管理エンティティ（ＭＭＥ）。
［Ｃ９］
前記第１のエリアが、フェムトセル基地局が前記第１のＵＥデバイスに対応するディスカバリ信号の検出を前記ＭＭＥに報告していないときに前記第１のＵＥデバイスをページングするために使用されるエリアよりも小さい、Ｃ８に記載のＭＭＥ。
［Ｃ１０］
前記フェムトセル基地局から、前記フェムトセル基地局によって信号が受信されたマクロ基地局を識別する情報を受信するための手段、をさらに備える、Ｃ９に記載のＭＭＥ。
［Ｃ１１］
前記フェムトセル基地局によって信号が受信されたマクロ基地局を識別する前記受信された情報に基づいて前記フェムトセル基地局の場所を決定するための手段、をさらに備える、Ｃ１０に記載のＭＭＥ。
［Ｃ１２］
第２のＵＥデバイスから、前記第２のＵＥデバイスが前記第１のＵＥデバイスから信号を受信したことを示す情報を受信するための手段と、
前記第２のＵＥデバイスの場所に基づいて、前記第１のエリアを更新するための手段とをさらに備える、Ｃ８に記載のＭＭＥ。
［Ｃ１３］
前記第１のＵＥデバイスをページングする要求に応答して、前記第１のエリアへのページの送信を開始するための手段をさらに備える、Ｃ９に記載のＭＭＥ。
［Ｃ１４］
前記ディスカバリ信号が、セルラーモードの動作で動作しているデバイスの発見のために使用されないディスカバリチャネル上で送信されている、Ｃ８に記載のＭＭＥ。
［Ｃ１５］
モビリティ管理エンティティ（ＭＭＥ）で使用するためのコンピュータプログラム製品であって、前記コンピュータプログラム製品が、
少なくとも１つのコンピュータに、フェムトセル基地局から、前記フェムトセル基地局によって検出されたディスカバリ信号を送信した第１のユーザ装置（ＵＥ）デバイスを識別する情報を受信させるためのコードと、
前記少なくとも１つのコンピュータに、前記第１のＵＥデバイスをページングするために使用されるべきページングエリアを第１のエリアに設定するために、前記第１のＵＥデバイスに対応するページングエリア情報を更新させるためのコードとを備える、非一時的コンピュータ可読媒体を備える、コンピュータプログラム製品。
［Ｃ１６］
フェムトセル基地局から、前記フェムトセル基地局によって検出されたディスカバリ信号を送信した第１のユーザ装置（ＵＥ）デバイスを識別する情報を受信するように、および、
前記第１のＵＥデバイスをページングするために使用されるべきページングエリアを第１のエリアに設定するために、前記第１のＵＥデバイスに対応するページングエリア情報を更新するように、
構成された少なくとも１つのプロセッサと、
前記少なくとも１つのプロセッサに結合されたメモリとを備える、モビリティ管理エンティティ（ＭＭＥ）。
［Ｃ１７］
前記第１のエリアが、フェムトセル基地局が前記第１のＵＥデバイスに対応するディスカバリ信号の検出を前記ＭＭＥに報告していないときに前記第１のＵＥデバイスをページングするために使用されるエリアよりも小さい、Ｃ１６に記載のＭＭＥ。
［Ｃ１８］
前記少なくとも１つのプロセッサが、
前記フェムトセル基地局から、前記フェムトセル基地局によって信号が受信されたマクロ基地局を識別する情報を受信するように、さらに構成される、Ｃ１７に記載のＭＭＥ。
［Ｃ１９］
前記少なくとも１つのプロセッサが、
前記フェムトセル基地局によって信号が受信されたマクロ基地局を識別する前記受信された情報に基づいて前記フェムトセル基地局の場所を決定するように、さらに構成される、Ｃ１８に記載のＭＭＥ。
［Ｃ２０］
前記少なくとも１つのプロセッサが、
第２のＵＥデバイスから、前記第２のＵＥデバイスが前記第１のＵＥデバイスから信号を受信したことを示す情報を受信するように、および、
前記第２のＵＥデバイスの場所に基づいて、前記第１のエリアを更新するように、さらに構成される、Ｃ１６に記載のＭＭＥ。